(57)【要約】【課題】リモートコントローラからの指令により動作する電流制限機能を有効にするか否かを簡単に設定でき、特に複数の室内機を有するシステムにおいて電流制限操作を無効にして快適性を維持できる空気調和機を提供する。【解決手段】室内機２０Ａ,２０Ｂ,２０Ｃと、その室内機２０Ａ,２０Ｂ,２０Ｃに接続された室外機１０と、上記室内機２０Ａ,２０Ｂ,２０Ｃに電流制限指令信号を送信するリモートコントローラ３０とを備える。上記室外機１０は、リモートコントローラ３０からの電流制限指令信号に基づいて、入力電流を所定の電流制限値以下に制限する入力電流制限部１５を有する。また、上記室外機１０は、入力電流制限部１５に対して電流制限を禁止する設定を行うための電流制限禁止設定部１１を有する。【選択図】図１
2007046870.tif 000002
【特許請求の範囲】
【請求項１】
室内機(２０Ａ,２０Ｂ,２０Ｃ)と、その室内機(２０Ａ,２０Ｂ,２０Ｃ)に接続された室外機(１０)と、上記室内機(２０Ａ,２０Ｂ,２０Ｃ)に電流制限指令信号を送信するリモートコントローラ(３０)とを備えた空気調和機であって、
上記室外機(１０)は、上記リモートコントローラ(３０)からの上記電流制限指令信号に基づいて、入力電流を所定の電流制限値以下に制限する入力電流制限部(１５)を有し、
上記室内機(２０Ａ,２０Ｂ,２０Ｃ)または上記室外機(１０)の少なくとも一方は、上記入力電流制限部(１５)に対して電流制限を禁止する設定を行うための電流制限禁止設定部(１１)を有することを特徴とする空気調和機。
【請求項２】
請求項１に記載の空気調和機において、
上記室内機(２０Ａ,２０Ｂ,２０Ｃ)は、上記室外機(１０)の上記入力電流制限部(１５)が電流制限を行っているときに上記室外機(１０)からの電流制限中であることを表す信号に基づいて電流制限中であることを表示する表示部(２３)を有することを特徴とする空気調和機。
【請求項３】
請求項１または２に記載の空気調和機において、
上記室内機(２０Ａ,２０Ｂ,２０Ｃ)が複数であって、
上記複数の室内機(２０Ａ,２０Ｂ,２０Ｃ)または上記室外機(１０)のいずれか一方は、上記複数の室内機(２０Ａ,２０Ｂ,２０Ｃ)の優先順位を設定する優先順位設定部(２１)を有し、
上記室外機(１０)は、上記優先順位設定部(２１)により設定された優先順位に基づいて、上記複数の室内機(２０Ａ,２０Ｂ,２０Ｃ)のうちの最も優先順位の高い室内機からの上記電流制限指令信号のみを有効な指令信号と判別する指令判別部(１７)を有することを特徴とする空気調和機。
【請求項４】
請求項１乃至３のいずれか１つに記載の空気調和機において、
上記室内機(２０Ａ,２０Ｂ,２０Ｃ)が複数であって、
上記室外機(１０)は、上記複数の室内機(２０Ａ,２０Ｂ,２０Ｃ)のうちの運転中の室内機(２０Ａ,２０Ｂ,２０Ｃ)の数または上記運転中の室内機(２０Ａ,２０Ｂ,２０Ｃ)の能力の合計に基づいて、上記電流制限値を設定する電流制限値設定部(１３)を有することを特徴とする空気調和機。
【請求項５】
請求項４に記載の空気調和機において、
上記電流制限値設定部(１３)は、上記運転中の室内機(２０Ａ,２０Ｂ,２０Ｃ)の全てに対して夫々の定格能力を所定の割合で下げるように上記電流制限値を設定することを特徴とする空気調和機。
【請求項６】
請求項１乃至５のいずれか１つに記載の空気調和機において、
上記入力電流制限部(１５)は、上記所定の電流制限値を複数用いて、上記入力電流を段階的に制限することを特徴とする空気調和機。
【発明の詳細な説明】
【技術分野】
【０００１】
この発明は、空気調和機に関する。
【背景技術】
【０００２】
従来、空気調和機としては、ワイヤレスリモコンの電流制限指令によって、入力電流を所定の時間だけ設定値以下に制限するものがある(例えば、特開平３−２０７９４６号公報(特許文献１)参照)。
【０００３】
ところで、上記空気調和機を複数の室内機と室外機とを有するマルチ形空気調和機のシステムに適用した場合、ある部屋のユーザーが電流設定値を低くすると、他の部屋の快適性が損なわれるという問題がある。
【特許文献１】特開平３−２０７９４６号公報
【発明の開示】
【発明が解決しようとする課題】
【０００４】
そこで、この発明の目的は、リモートコントローラからの指令により動作する電流制限機能を有効にするか否かを簡単に設定でき、特に複数の室内機を有するシステムにおいて電流制限操作を無効にして快適性が損なわれないようにできる空気調和機を提供することにある。
【課題を解決するための手段】
【０００５】
上記目的を達成するため、この発明の空気調和機は、
室内機と、その室内機に接続された室外機と、上記室内機に電流制限指令信号を送信するリモートコントローラとを備えた空気調和機であって、
上記室外機は、上記リモートコントローラからの上記電流制限指令信号に基づいて、入力電流を所定の電流制限値以下に制限する入力電流制限部を有し、
上記室内機または上記室外機の少なくとも一方は、上記入力電流制限部に対して電流制限を禁止する設定を行うための電流制限禁止設定部を有することを特徴とする。
【０００６】
上記構成の空気調和機によれば、上記室内機または室外機の少なくとも一方の電流制限禁止設定部により、上記入力電流制限部に対して電流制限を禁止する設定を行うことによって、複数の室内機と室外機とを有するマルチ形空気調和機のシステムでも、ある部屋のユーザーがリモートコントローラを操作して電流制限を指令しても、電流制限が禁止されているので、他の部屋の快適性が損なわれることがない。このように、室内機または室外機の少なくとも一方の電流制限禁止設定部を用いて、リモートコントローラからの指令により動作する電流制限機能を有効にするか否かを簡単に設定できる。特に、複数の室内機を有するシステムの場合、電流制限操作を無効にして快適性が損なわれないようにできる。
【０００７】
また、一実施形態の空気調和機は、上記室内機が、上記室外機の上記入力電流制限部が電流制限を行っているときに上記室外機からの電流制限中であることを表す信号に基づいて電流制限中であることを表示する表示部を有することを特徴とする。
【０００８】
上記実施形態の空気調和機によれば、上記室外機の入力電流制限部が電流制限を行っているとき、室内機の表示部によって、室外機からの電流制限中であることを表す信号に基づいて電流制限中であることを表示するので、ユーザーは電流制限中であることを確認することができる。特に、複数の室内機を有するシステムの場合、電流制限を指令した部屋と異なる部屋のユーザーも電流制限中であることを知ることができる。
【０００９】
また、一実施形態の空気調和機は、
上記室内機が複数であって、
上記複数の室内機または上記室外機のいずれか一方は、上記複数の室内機の優先順位を設定する優先順位設定部を有し、
上記室外機は、上記優先順位設定部により設定された優先順位に基づいて、上記複数の室内機のうちの最も優先順位の高い室内機からの上記電流制限指令信号のみを有効な指令信号と判別する指令判別部を有することを特徴とする。
【００１０】
上記実施形態の空気調和機によれば、上記複数の室内機の各優先順位設定部により設定された優先順位に基づいて、室外機の指令判別部は、複数の室内機のうちの最も優先順位の高い室内機からの電流制限指令信号のみを有効な指令信号と判別して、優先順位の低い他の室内機側のユーザーがリモートコントローラを操作して電流制限指令信号を送信しても、指令判別部は、有効な指令信号と判別しない。したがって、複数の部屋でリモートコントローラを操作して電流制限を指令したり解除したりする操作が無秩序に行われるような事態を防ぐことができる。なお、複数の室内機のうちの最も優先順位の高い室内機が停止中のときは、指令判別部は、その次に優先順位の高い室内機からの電流制限指令信号を有効な指令信号と判別するのが好ましい。
【００１１】
また、一実施形態の空気調和機は、
上記室内機が複数であって、
上記室外機は、上記複数の室内機のうちの運転中の室内機の数または上記運転中の室内機の能力の合計に基づいて、上記電流制限値を設定する電流制限値設定部を有することを特徴とする。
【００１２】
上記実施形態の空気調和機によれば、上記複数の室内機のうちの運転中の室内機の数または運転中の室内機の能力の合計に基づいて、室外機の電流制限値設定部によって電流制限値を設定することによって、運転部屋の増減による能力の過不足をなくすことが可能となる。例えば、運転中の室内機の数が多いほど、電流制限値を高めに設定する一方、運転中の室内機の数が少ないほど、電流制限値を低めに設定する。
【００１３】
また、一実施形態の空気調和機は、上記電流制限値設定部が、上記運転中の室内機の全てに対して夫々の定格能力を所定の割合で下げるように上記電流制限値を設定することを特徴とする。
【００１４】
上記実施形態の空気調和機によれば、上記電流制限値設定部によって、運転中の室内機の全てに対して夫々の定格能力を所定の割合で下げるように上記電流制限値を設定するので、システム全体の入力電流を制限するのに最適な電流制限値を得ることができる。
【００１５】
また、一実施形態の空気調和機は、上記入力電流制限部が、上記所定の電流制限値を複数用いて、上記入力電流を段階的に制限することを特徴とする。
【００１６】
上記実施形態の空気調和機によれば、複数の電流制限値を予め用意して、入力電流を段階的に制限するので、入力電流を制限する制御を簡略化できる。
【発明の効果】
【００１７】
以上より明らかなように、この発明の空気調和機によれば、リモートコントローラからの指令により動作する電流制限機能を有効にするか否かを簡単に設定でき、特に複数の室内機を有するシステムにおいて電流制限操作を無効にして快適性が損なわれないようにできる空気調和機を実現することができる。
【００１８】
また、一実施形態の空気調和機によれば、上記室外機の入力電流制限部が電流制限を行っているとき、室内機の表示部によって、室外機からの電流制限中であることを表す信号に基づいて電流制限中であることを表示することによって、ユーザーは電流制限中であることを確認することができ、特に、複数の室内機を有するシステムの場合、電流制限を指令した部屋と異なる部屋のユーザーも電流制限中であることを知ることができる。
【００１９】
また、一実施形態の空気調和機によれば、上記複数の室内機の各優先順位設定部により設定された優先順位に基づいて、室外機の指令判別部は、複数の室内機のうちの最も優先順位の高い室内機からの電流制限指令信号のみを有効な指令信号と判別することによって、複数の部屋でリモートコントローラを操作して電流制限を指令したり解除したりする操作が無秩序に行われるような事態を防ぐことができる。
【００２０】
また、一実施形態の空気調和機によれば、上記複数の室内機のうちの運転中の室内機の数または運転中の室内機の能力の合計に基づいて、室外機の電流制限値設定部によって電流制限値を設定することによって、運転部屋の増減による能力の過不足をなくすことができる。
【００２１】
また、一実施形態の空気調和機によれば、運転中の室内機の全てに対して夫々の定格能力を所定の割合で下げるように、電流制限値設定部により電流制限値を設定することによって、システム全体の入力電流を制限するのに最適な電流制限値を得ることができる。
【００２２】
また、一実施形態の空気調和機によれば、複数の電流制限値を予め用意して、入力電流を段階的に制限することによって、入力電流を制限する制御を簡略化でき、コストを低減できる。
【発明を実施するための最良の形態】
【００２３】
以下、この発明の空気調和機を図示の実施の形態により詳細に説明する。
【００２４】
図１はこの発明の実施の一形態の空気調和機の構成を示すブロック図であり、この空気調和機は、図１に示すように、室外機１０と、複数の室内機２０Ａ,２０Ｂ,２０Ｃと、上記室内機２０Ａ,２０Ｂ,２０Ｃを夫々制御する複数のリモートコントローラ３０とを備えている。上記室外機１０と複数の室内機２０Ａ,２０Ｂ,２０Ｃとを連絡配線(通信線を含む)を介して夫々接続している。
【００２５】
上記室外機１０は、電流制限禁止設定部の一例としてのジャンパー１１と、上記ジャンパー１１の設定に基づいて電流制限を許可する電流制限許可部１２と、上記電流制限許可部１２からの許可信号に基づいて、電流制限値を設定する電流制限値設定部１３と、入力電流を検出する入力電流検出部１４と、上記入力電流検出部１４により検出された入力電流および上記電流制限値設定部１３により設定された電流制限値に基づいて、入力電流が電流制限値以下に制限されるように制御信号を出力する入力電流制限部１５と、上記入力電流制限部１５からの制御信号に基づいて、圧縮機(図示せず)の回転数を制御する圧縮機回転数制御部１６と、上記各室内機２０Ａ,２０Ｂ,２０Ｃからの電流制限指令信号を判別する指令判別部１７とを有している。上記指令判別部１７は、室内機２０Ａ,２０Ｂ,２０Ｃのいずれかからの電流制限指令信号が有効な指令信号である判別すると、電流制限値設定部１３に電流制限指令信号を出力する。ここで、入力電流とは、圧縮機を駆動するインバータ回路等に電源から供給される入力電流のことである。
【００２６】
また、上記室内機２０Ａ,２０Ｂ,２０Ｃは、優先順位設定部の機能を含む室内制御部２１と、リモートコントローラ３０の発光部(図示せず)から出射された制御信号を受光して、受光した制御信号を電気信号に変換して室内制御部２１に出力する受光部２２と、上記室内制御部２１からの表示信号に基づいて表示を行う表示部２３とを有している。上記室内機２０Ａ,２０Ｂ,２０Ｃは、リモートコントローラ３０からの制御信号に基づいて、優先順位が設定される。
【００２７】
図２は上記室内機２０Ａ,２０Ｂ,２０Ｃからの電流制限指令に基づく室外機１０の動作を説明するフローチャートである。なお、図２の説明では、室内機２０Ａ,２０Ｂ,２０Ｃを夫々「Ａ」,「Ｂ」,「Ｃ」としている。
【００２８】
まず、処理がスタートして図２に示すステップＳ１において、指令判別部１７によりＡが運転中であると判別したときはステップＳ４に進む一方、Ａが運転中でないと判別したときはステップＳ２に進む。
【００２９】
そして、ステップＳ４で指令判別部１７によりＡからの電流制限指令があると判別すると、ステップＳ２に進む。
【００３０】
また、ステップＳ２では、指令判別部１７によりＢが運転中であると判別したときはステップＳ５に進む一方、Ｂが運転中でないと判別したときはステップＳ３に進む。
【００３１】
そして、ステップＳ５で指令判別部１７によりＢからの電流制限指令があると判別すると、ステップＳ７に進む。
【００３２】
また、ステップＳ３では、指令判別部１７によりＣが運転中であると判別したときはステップＳ６に進む一方、Ｂが運転中でないと判別したときはステップＳ７に進む。
【００３３】
そして、ステップＳ６で指令判別部１７によりＣからの電流制限指令があると判別すると、ステップＳ７に進んで、電流制限値設定部１３と入力電流制限部１５により電流制限処理を行って、この処理を終了する。
【００３４】
図３は図２に示す電流制限処理を説明するフローチャートである。
【００３５】
まず、電流制限処理がスタートすると、図３に示すステップＳ１１において、各室内機に対して優先順位が設定されていると判別したときは、ステップＳ１６に進む一方、ステップＳ１１で優先順位が設定されていないと判別したときは、ステップＳ１２に進む。
【００３６】
そして、ステップＳ１６で最優先の室内機から電流制限指令があったと判別すると、ステップＳ１３に進む一方、最優先の室内機から電流制限指令がないと判別すると、この電流制限処理を終了する。
【００３７】
また、ステップＳ１２で室内機２０Ａ,２０Ｂ,２０Ｃのいずれかから電流制限指令があったと判別すると、ステップＳ１３に進む一方、電流制限指令がないと判別すると、この電流制限処理を終了する。
【００３８】
そして、ステップＳ１３では、電流制限値設定部１３により運転部屋の能力合計を算出する。なお、この運転部屋の能力合計は、予め作成された各部屋の室内機の能力をまとめたテーブルを用いて算出する。
【００３９】
次に、ステップＳ１４に進み、ステップＳ１３で求めた運転部屋の能力合計に基づいて、電流制限値設定部１３により電流制限値を算出する。
【００４０】
次に、ステップＳ１５に進み、入力電流制限部１５により入力電流を電流制限値以下に制限して、この電流制限処理を終了する。
【００４１】
上記空気調和機では、室内機２０Ａ,２０Ｂ,２０Ｃの優先順位に基づいて、各室内機２０Ａ,２０Ｂ,２０Ｃからの電流制限指令が有効であるか否かを判断するだけでなく、優先順位に基づいて、各室内機２０Ａ,２０Ｂ,２０Ｃからの運転モード等の指令が有効であるか否かも判断する。この場合、例えば、電流制限中に、最も優先順位の高い室内機２０Ａにおいて、電流制限の必要のない運転モード(最大能力で運転する運転モード)が設定されると、電流制限の設定を解除し、設定された運転モードを実行する。
【００４２】
上記構成の空気調和機では、室外機１０の電流制限禁止設定部としてのジャンパー１１により、入力電流制限部１５対して電流制限を禁止する設定を行うことによって、複数の室内機２０Ａ,２０Ｂ,２０Ｃと室外機１０とを有するマルチ形空気調和機のシステムでも、ある部屋のユーザーがリモートコントローラ３０を操作して電流制限を指令しても、電流制限が禁止されているので、他の部屋の快適性が損なわれることがない。このように、室外機１０のジャンパー１１を用いて、リモートコントローラ３０からの指令により動作する電流制限機能を有効にするか否かを簡単に設定することができる。
【００４３】
また、上記室外機１０の入力電流制限部１５が電流制限を行っているとき、室内機２０Ａ,２０Ｂ,２０Ｃの表示部２３は、室外機１０からの電流制限中であることを表す信号に基づいて電流制限中であることを表示するので、ユーザーは電流制限中であることを確認することができる。また、電流制限を指令した部屋と異なる部屋のユーザーも電流制限中であることを知ることができる。
【００４４】
また、上記室内機２０Ａ,２０Ｂ,２０Ｃの各室内制御部２１により設定された優先順位に基づいて、室外機１０の指令判別部１７は、室内機２０Ａ,２０Ｂ,２０Ｃのうちの最も優先順位の高い室内機からの電流制限指令信号を有効な指令信号と判別して、優先順位の低い他の室内機側のユーザーがリモートコントローラ３０を操作して電流制限指令信号を送信しても、指令判別部１７は、有効な指令信号と判別しない。したがって、複数の部屋でリモートコントローラ３０を操作して電流制限を指令したり解除したりする操作が無秩序に行われるような事態を防ぐことができる。なお、この実施の形態では、室内機２０Ａ,２０Ｂ,２０Ｃのうちの最も優先順位の高い室内機が停止中のときは、指令判別部１７は、その次に優先順位の高い室内機からの電流制限指令信号を有効な指令信号と判別するようにしている。
【００４５】
また、上記室内機２０Ａ,２０Ｂ,２０Ｃのうちの運転中の室内機の能力の合計に基づいて、室外機１０の電流制限値設定部１３により電流制限値を設定することによって、運転部屋の増減による能力の過不足をなくすことができる。
【００４６】
なお、室内機２０Ａ,２０Ｂ,２０Ｃのうちの運転中の室内機の数に基づいて、室外機１０の電流制限値設定部１３により電流制限値を設定してもよい。例えば、運転中の室内機の数が多いほど、電流制限値を高めに設定する一方、運転中の室内機の数が少ないほど、電流制限値を低めに設定する。この場合、運転中の室内機の数に基づいて電流制限値を設定することによって、より最適な電流制限値が得られる。
【００４７】
また、上記電流制限値設定部１３によって、運転中の室内機の全てに対して夫々の定格能力を所定の割合で下げるように電流制限値を設定するので、システム全体の入力電流を制限するのに最適な電流制限値を得ることができる。
【００４８】
上記実施の形態では、電流制限禁止設定部の一例としてのジャンパー１１を室外機１０に設けた空気調和機について説明したが、電流制限禁止設定部の一例としてのジャンパー１１を用いたが、電流制限禁止設定部はこれに限らず、スイッチやリモートコントローラ等の設定手段を用いたものであればよい。また、電流制限禁止設定部を室内機側に設けてもよいし、リモートコントローラの操作により室内機で設定してもよい。
【００４９】
また、上記実施の形態では、優先順位設定部の機能を室内機２０Ａ,２０Ｂ,２０Ｃの室内制御部２１に兼ね備えたが、優先順位設定部はこれに限らず、室外機側に設けてもよい。
【００５０】
また、上記実施の形態では、室内機２０Ａ,２０Ｂ,２０Ｃのうちの運転中の室内機の能力の合計に基づいて、室外機の電流制限値設定部１３によって電流制限値を設定したが、入力電流制限部が、予め用意した複数の電流制限値を用いて、入力電流を段階的に制限してもよい。この場合、入力電流を制限する制御を簡略化することができ、コストを低減することができる。
【００５１】
さらに、上記実施の形態では、３台の室内機２０Ａ,２０Ｂ,２０Ｃと、その室内機２０Ａ,２０Ｂ,２０Ｃに接続された室外機１０とを備えた空気調和機について説明したが、１台の室内機と、その室内機に接続された１台の室外機を備えた空気調和機についてこの発明を適用してもよい。この場合、室内機の優先順位を設定する機能は必要なくなるが、室内機または室外機の少なくとも一方の電流制限禁止設定部に設けることによって、リモートコントローラからの指令により動作する電流制限機能を有効にするか否かを簡単に設定することができる。
【図面の簡単な説明】
【００５２】
【図１】図１はこの発明の実施の一形態の空気調和機の構成を示すブロック図である。
【図２】図２は上記空気調和機の室内機の優先順位に基づく室外機の動作を説明するフローチャートである。
【図３】図３は図２に示す電流制限処理を説明するフローチャートである。
【符号の説明】
【００５３】
１０…室外機
１１…ジャンパー
１２…電流制限許可部
１３…電流制限値設定部
１４…入力電流検出部
１５…入力電流制限部
１６…圧縮機回転数制御部
１７…指令判別部
２０Ａ,２０Ｂ,２０Ｃ…室内機
２１…室内制御部
２２…受光部
２３…表示部
３０…リモートコントローラ
【図１】
2007046870.tif 000003
【図２】
2007046870.tif 000004
【図３】
2007046870.tif 000005
【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
室内機(２０Ａ,２０Ｂ,２０Ｃ)と、その室内機(２０Ａ,２０Ｂ,２０Ｃ)に接続された室外機(１０)と、上記室内機(２０Ａ,２０Ｂ,２０Ｃ)に電流制限指令信号を送信するリモートコントローラ(３０)とを備えた空気調和機であって、
上記室外機(１０)は、上記リモートコントローラ(３０)からの上記電流制限指令信号に基づいて、入力電流を所定の電流制限値以下に制限する入力電流制限部(１５)を有し、
上記室内機(２０Ａ,２０Ｂ,２０Ｃ)または上記室外機(１０)の少なくとも一方は、上記入力電流制限部(１５)に対して電流制限を禁止する設定をジャンパーまたはスイッチにより行う電流制限禁止設定部(１１)を有することを特徴とする空気調和機。
【請求項２】
請求項１に記載の空気調和機において、
上記室内機(２０Ａ,２０Ｂ,２０Ｃ)は、上記室外機(１０)の上記入力電流制限部(１５)が電流制限を行っているときに上記室外機(１０)からの電流制限中であることを表す信号に基づいて電流制限中であることを表示する表示部(２３)を有することを特徴とする空気調和機。
【請求項３】
請求項１または２に記載の空気調和機において、
上記室内機(２０Ａ,２０Ｂ,２０Ｃ)が複数であって、
上記複数の室内機(２０Ａ,２０Ｂ,２０Ｃ)または上記室外機(１０)のいずれか一方は、上記複数の室内機(２０Ａ,２０Ｂ,２０Ｃ)の優先順位を設定する優先順位設定部(２１)を有し、
上記室外機(１０)は、上記優先順位設定部(２１)により設定された優先順位に基づいて、上記複数の室内機(２０Ａ,２０Ｂ,２０Ｃ)のうちの最も優先順位の高い室内機からの上記電流制限指令信号のみを有効な指令信号と判別する指令判別部(１７)を有することを特徴とする空気調和機。
【請求項４】
請求項１乃至３のいずれか１つに記載の空気調和機において、
上記室内機(２０Ａ,２０Ｂ,２０Ｃ)が複数であって、
上記室外機(１０)は、上記複数の室内機(２０Ａ,２０Ｂ,２０Ｃ)のうちの運転中の室内機(２０Ａ,２０Ｂ,２０Ｃ)の数または上記運転中の室内機(２０Ａ,２０Ｂ,２０Ｃ)の能力の合計に基づいて、上記電流制限値を設定する電流制限値設定部(１３)を有することを特徴とする空気調和機。
【請求項５】
請求項４に記載の空気調和機において、
上記電流制限値設定部(１３)は、上記運転中の室内機(２０Ａ,２０Ｂ,２０Ｃ)の全てに対して夫々の定格能力を所定の割合で下げるように上記電流制限値を設定することを特徴とする空気調和機。
【請求項６】
請求項１乃至５のいずれか１つに記載の空気調和機において、
上記入力電流制限部(１５)は、上記所定の電流制限値を複数用いて、上記入力電流を段階的に制限することを特徴とする空気調和機。
【手続補正２】
【補正対象書類名】明細書
【補正対象項目名】全文
【補正方法】変更
【補正の内容】
【発明の詳細な説明】
【技術分野】
【０００１】
この発明は、空気調和機に関する。
【背景技術】
【０００２】
従来、空気調和機としては、ワイヤレスリモコンの電流制限指令によって、入力電流を所定の時間だけ設定値以下に制限するものがある(例えば、特開平３−２０７９４６号公報(特許文献１)参照)。
【０００３】
ところで、上記空気調和機を複数の室内機と室外機とを有するマルチ形空気調和機のシステムに適用した場合、ある部屋のユーザーが電流設定値を低くすると、他の部屋の快適性が損なわれるという問題がある。
【特許文献１】特開平３−２０７９４６号公報
【発明の開示】
【発明が解決しようとする課題】
【０００４】
そこで、この発明の目的は、リモートコントローラからの指令により動作する電流制限機能を有効にするか否かを簡単に設定でき、特に複数の室内機を有するシステムにおいて電流制限操作を無効にして快適性が損なわれないようにできる空気調和機を提供することにある。
【課題を解決するための手段】
【０００５】
上記目的を達成するため、この発明の空気調和機は、
室内機と、その室内機に接続された室外機と、上記室内機に電流制限指令信号を送信するリモートコントローラとを備えた空気調和機であって、
上記室外機は、上記リモートコントローラからの上記電流制限指令信号に基づいて、入力電流を所定の電流制限値以下に制限する入力電流制限部を有し、
上記室内機または上記室外機の少なくとも一方は、上記入力電流制限部に対して電流制限を禁止する設定をジャンパーまたはスイッチにより行う電流制限禁止設定部を有することを特徴とする。
【０００６】
上記構成の空気調和機によれば、上記室内機または室外機の少なくとも一方の電流制限禁止設定部により、上記入力電流制限部に対して電流制限を禁止する設定をジャンパーまたはスイッチにより行うことによって、複数の室内機と室外機とを有するマルチ形空気調和機のシステムでも、ある部屋のユーザーがリモートコントローラを操作して電流制限を指令しても、電流制限が禁止されているので、他の部屋の快適性が損なわれることがない。このように、室内機または室外機の少なくとも一方の電流制限禁止設定部を用いて、リモートコントローラからの指令により動作する電流制限機能を有効にするか否かを簡単に設定できる。特に、複数の室内機を有するシステムの場合、電流制限操作を無効にして快適性が損なわれないようにできる。
【０００７】
また、一実施形態の空気調和機は、上記室内機が、上記室外機の上記入力電流制限部が電流制限を行っているときに上記室外機からの電流制限中であることを表す信号に基づいて電流制限中であることを表示する表示部を有することを特徴とする。
【０００８】
上記実施形態の空気調和機によれば、上記室外機の入力電流制限部が電流制限を行っているとき、室内機の表示部によって、室外機からの電流制限中であることを表す信号に基づいて電流制限中であることを表示するので、ユーザーは電流制限中であることを確認することができる。特に、複数の室内機を有するシステムの場合、電流制限を指令した部屋と異なる部屋のユーザーも電流制限中であることを知ることができる。
【０００９】
また、一実施形態の空気調和機は、
上記室内機が複数であって、
上記複数の室内機または上記室外機のいずれか一方は、上記複数の室内機の優先順位を設定する優先順位設定部を有し、
上記室外機は、上記優先順位設定部により設定された優先順位に基づいて、上記複数の室内機のうちの最も優先順位の高い室内機からの上記電流制限指令信号のみを有効な指令信号と判別する指令判別部を有することを特徴とする。
【００１０】
上記実施形態の空気調和機によれば、上記複数の室内機の各優先順位設定部により設定された優先順位に基づいて、室外機の指令判別部は、複数の室内機のうちの最も優先順位の高い室内機からの電流制限指令信号のみを有効な指令信号と判別して、優先順位の低い他の室内機側のユーザーがリモートコントローラを操作して電流制限指令信号を送信しても、指令判別部は、有効な指令信号と判別しない。したがって、複数の部屋でリモートコントローラを操作して電流制限を指令したり解除したりする操作が無秩序に行われるような事態を防ぐことができる。なお、複数の室内機のうちの最も優先順位の高い室内機が停止中のときは、指令判別部は、その次に優先順位の高い室内機からの電流制限指令信号を有効な指令信号と判別するのが好ましい。
【００１１】
また、一実施形態の空気調和機は、
上記室内機が複数であって、
上記室外機は、上記複数の室内機のうちの運転中の室内機の数または上記運転中の室内機の能力の合計に基づいて、上記電流制限値を設定する電流制限値設定部を有することを特徴とする。
【００１２】
上記実施形態の空気調和機によれば、上記複数の室内機のうちの運転中の室内機の数または運転中の室内機の能力の合計に基づいて、室外機の電流制限値設定部によって電流制限値を設定することによって、運転部屋の増減による能力の過不足をなくすことが可能となる。例えば、運転中の室内機の数が多いほど、電流制限値を高めに設定する一方、運転中の室内機の数が少ないほど、電流制限値を低めに設定する。
【００１３】
また、一実施形態の空気調和機は、上記電流制限値設定部が、上記運転中の室内機の全てに対して夫々の定格能力を所定の割合で下げるように上記電流制限値を設定することを特徴とする。
【００１４】
上記実施形態の空気調和機によれば、上記電流制限値設定部によって、運転中の室内機の全てに対して夫々の定格能力を所定の割合で下げるように上記電流制限値を設定するので、システム全体の入力電流を制限するのに最適な電流制限値を得ることができる。
【００１５】
また、一実施形態の空気調和機は、上記入力電流制限部が、上記所定の電流制限値を複数用いて、上記入力電流を段階的に制限することを特徴とする。
【００１６】
上記実施形態の空気調和機によれば、複数の電流制限値を予め用意して、入力電流を段階的に制限するので、入力電流を制限する制御を簡略化できる。
【発明の効果】
【００１７】
以上より明らかなように、この発明の空気調和機によれば、リモートコントローラからの指令により動作する電流制限機能を有効にするか否かをジャンパーまたはスイッチにより簡単に設定でき、特に複数の室内機を有するシステムにおいて電流制限操作を無効にして快適性が損なわれないようにできる空気調和機を実現することができる。
【００１８】
また、一実施形態の空気調和機によれば、上記室外機の入力電流制限部が電流制限を行っているとき、室内機の表示部によって、室外機からの電流制限中であることを表す信号に基づいて電流制限中であることを表示することによって、ユーザーは電流制限中であることを確認することができ、特に、複数の室内機を有するシステムの場合、電流制限を指令した部屋と異なる部屋のユーザーも電流制限中であることを知ることができる。
【００１９】
また、一実施形態の空気調和機によれば、上記複数の室内機の各優先順位設定部により設定された優先順位に基づいて、室外機の指令判別部は、複数の室内機のうちの最も優先順位の高い室内機からの電流制限指令信号のみを有効な指令信号と判別することによって、複数の部屋でリモートコントローラを操作して電流制限を指令したり解除したりする操作が無秩序に行われるような事態を防ぐことができる。
【００２０】
また、一実施形態の空気調和機によれば、上記複数の室内機のうちの運転中の室内機の数または運転中の室内機の能力の合計に基づいて、室外機の電流制限値設定部によって電流制限値を設定することによって、運転部屋の増減による能力の過不足をなくすことができる。
【００２１】
また、一実施形態の空気調和機によれば、運転中の室内機の全てに対して夫々の定格能力を所定の割合で下げるように、電流制限値設定部により電流制限値を設定することによって、システム全体の入力電流を制限するのに最適な電流制限値を得ることができる。
【００２２】
また、一実施形態の空気調和機によれば、複数の電流制限値を予め用意して、入力電流を段階的に制限することによって、入力電流を制限する制御を簡略化でき、コストを低減できる。
【発明を実施するための最良の形態】
【００２３】
以下、この発明の空気調和機を図示の実施の形態により詳細に説明する。
【００２４】
図１はこの発明の実施の一形態の空気調和機の構成を示すブロック図であり、この空気調和機は、図１に示すように、室外機１０と、複数の室内機２０Ａ,２０Ｂ,２０Ｃと、上記室内機２０Ａ,２０Ｂ,２０Ｃを夫々制御する複数のリモートコントローラ３０とを備えている。上記室外機１０と複数の室内機２０Ａ,２０Ｂ,２０Ｃとを連絡配線(通信線を含む)を介して夫々接続している。
【００２５】
上記室外機１０は、電流制限禁止設定部の一例としてのジャンパー１１と、上記ジャンパー１１の設定に基づいて電流制限を許可する電流制限許可部１２と、上記電流制限許可部１２からの許可信号に基づいて、電流制限値を設定する電流制限値設定部１３と、入力電流を検出する入力電流検出部１４と、上記入力電流検出部１４により検出された入力電流および上記電流制限値設定部１３により設定された電流制限値に基づいて、入力電流が電流制限値以下に制限されるように制御信号を出力する入力電流制限部１５と、上記入力電流制限部１５からの制御信号に基づいて、圧縮機(図示せず)の回転数を制御する圧縮機回転数制御部１６と、上記各室内機２０Ａ,２０Ｂ,２０Ｃからの電流制限指令信号を判別する指令判別部１７とを有している。上記指令判別部１７は、室内機２０Ａ,２０Ｂ,２０Ｃのいずれかからの電流制限指令信号が有効な指令信号である判別すると、電流制限値設定部１３に電流制限指令信号を出力する。ここで、入力電流とは、圧縮機を駆動するインバータ回路等に電源から供給される入力電流のことである。
【００２６】
また、上記室内機２０Ａ,２０Ｂ,２０Ｃは、優先順位設定部の機能を含む室内制御部２１と、リモートコントローラ３０の発光部(図示せず)から出射された制御信号を受光して、受光した制御信号を電気信号に変換して室内制御部２１に出力する受光部２２と、上記室内制御部２１からの表示信号に基づいて表示を行う表示部２３とを有している。上記室内機２０Ａ,２０Ｂ,２０Ｃは、リモートコントローラ３０からの制御信号に基づいて、優先順位が設定される。
【００２７】
図２は上記室内機２０Ａ,２０Ｂ,２０Ｃからの電流制限指令に基づく室外機１０の動作を説明するフローチャートである。なお、図２の説明では、室内機２０Ａ,２０Ｂ,２０Ｃを夫々「Ａ」,「Ｂ」,「Ｃ」としている。
【００２８】
まず、処理がスタートして図２に示すステップＳ１において、指令判別部１７によりＡが運転中であると判別したときはステップＳ４に進む一方、Ａが運転中でないと判別したときはステップＳ２に進む。
【００２９】
そして、ステップＳ４で指令判別部１７によりＡからの電流制限指令があると判別すると、ステップＳ２に進む。
【００３０】
また、ステップＳ２では、指令判別部１７によりＢが運転中であると判別したときはステップＳ５に進む一方、Ｂが運転中でないと判別したときはステップＳ３に進む。
【００３１】
そして、ステップＳ５で指令判別部１７によりＢからの電流制限指令があると判別すると、ステップＳ７に進む。
【００３２】
また、ステップＳ３では、指令判別部１７によりＣが運転中であると判別したときはステップＳ６に進む一方、Ｂが運転中でないと判別したときはステップＳ７に進む。
【００３３】
そして、ステップＳ６で指令判別部１７によりＣからの電流制限指令があると判別すると、ステップＳ７に進んで、電流制限値設定部１３と入力電流制限部１５により電流制限処理を行って、この処理を終了する。
【００３４】
図３は図２に示す電流制限処理を説明するフローチャートである。
【００３５】
まず、電流制限処理がスタートすると、図３に示すステップＳ１１において、各室内機に対して優先順位が設定されていると判別したときは、ステップＳ１６に進む一方、ステップＳ１１で優先順位が設定されていないと判別したときは、ステップＳ１２に進む。
【００３６】
そして、ステップＳ１６で最優先の室内機から電流制限指令があったと判別すると、ステップＳ１３に進む一方、最優先の室内機から電流制限指令がないと判別すると、この電流制限処理を終了する。
【００３７】
また、ステップＳ１２で室内機２０Ａ,２０Ｂ,２０Ｃのいずれかから電流制限指令があったと判別すると、ステップＳ１３に進む一方、電流制限指令がないと判別すると、この電流制限処理を終了する。
【００３８】
そして、ステップＳ１３では、電流制限値設定部１３により運転部屋の能力合計を算出する。なお、この運転部屋の能力合計は、予め作成された各部屋の室内機の能力をまとめたテーブルを用いて算出する。
【００３９】
次に、ステップＳ１４に進み、ステップＳ１３で求めた運転部屋の能力合計に基づいて、電流制限値設定部１３により電流制限値を算出する。
【００４０】
次に、ステップＳ１５に進み、入力電流制限部１５により入力電流を電流制限値以下に制限して、この電流制限処理を終了する。
【００４１】
上記空気調和機では、室内機２０Ａ,２０Ｂ,２０Ｃの優先順位に基づいて、各室内機２０Ａ,２０Ｂ,２０Ｃからの電流制限指令が有効であるか否かを判断するだけでなく、優先順位に基づいて、各室内機２０Ａ,２０Ｂ,２０Ｃからの運転モード等の指令が有効であるか否かも判断する。この場合、例えば、電流制限中に、最も優先順位の高い室内機２０Ａにおいて、電流制限の必要のない運転モード(最大能力で運転する運転モード)が設定されると、電流制限の設定を解除し、設定された運転モードを実行する。
【００４２】
上記構成の空気調和機では、室外機１０の電流制限禁止設定部としてのジャンパー１１により、入力電流制限部１５対して電流制限を禁止する設定を行うことによって、複数の室内機２０Ａ,２０Ｂ,２０Ｃと室外機１０とを有するマルチ形空気調和機のシステムでも、ある部屋のユーザーがリモートコントローラ３０を操作して電流制限を指令しても、電流制限が禁止されているので、他の部屋の快適性が損なわれることがない。このように、室外機１０のジャンパー１１を用いて、リモートコントローラ３０からの指令により動作する電流制限機能を有効にするか否かを簡単に設定することができる。
【００４３】
また、上記室外機１０の入力電流制限部１５が電流制限を行っているとき、室内機２０Ａ,２０Ｂ,２０Ｃの表示部２３は、室外機１０からの電流制限中であることを表す信号に基づいて電流制限中であることを表示するので、ユーザーは電流制限中であることを確認することができる。また、電流制限を指令した部屋と異なる部屋のユーザーも電流制限中であることを知ることができる。
【００４４】
また、上記室内機２０Ａ,２０Ｂ,２０Ｃの各室内制御部２１により設定された優先順位に基づいて、室外機１０の指令判別部１７は、室内機２０Ａ,２０Ｂ,２０Ｃのうちの最も優先順位の高い室内機からの電流制限指令信号を有効な指令信号と判別して、優先順位の低い他の室内機側のユーザーがリモートコントローラ３０を操作して電流制限指令信号を送信しても、指令判別部１７は、有効な指令信号と判別しない。したがって、複数の部屋でリモートコントローラ３０を操作して電流制限を指令したり解除したりする操作が無秩序に行われるような事態を防ぐことができる。なお、この実施の形態では、室内機２０Ａ,２０Ｂ,２０Ｃのうちの最も優先順位の高い室内機が停止中のときは、指令判別部１７は、その次に優先順位の高い室内機からの電流制限指令信号を有効な指令信号と判別するようにしている。
【００４５】
また、上記室内機２０Ａ,２０Ｂ,２０Ｃのうちの運転中の室内機の能力の合計に基づいて、室外機１０の電流制限値設定部１３により電流制限値を設定することによって、運転部屋の増減による能力の過不足をなくすことができる。
【００４６】
なお、室内機２０Ａ,２０Ｂ,２０Ｃのうちの運転中の室内機の数に基づいて、室外機１０の電流制限値設定部１３により電流制限値を設定してもよい。例えば、運転中の室内機の数が多いほど、電流制限値を高めに設定する一方、運転中の室内機の数が少ないほど、電流制限値を低めに設定する。この場合、運転中の室内機の数に基づいて電流制限値を設定することによって、より最適な電流制限値が得られる。
【００４７】
また、上記電流制限値設定部１３によって、運転中の室内機の全てに対して夫々の定格能力を所定の割合で下げるように電流制限値を設定するので、システム全体の入力電流を制限するのに最適な電流制限値を得ることができる。
【００４８】
上記実施の形態では、電流制限禁止設定部の一例としてのジャンパー１１を室外機１０に設けた空気調和機について説明したが、電流制限禁止設定部の一例としてのジャンパー１１を用いたが、電流制限禁止設定部はこれに限らず、スイッチやリモートコントローラ等の設定手段を用いたものであればよい。また、電流制限禁止設定部を室内機側に設けてもよいし、リモートコントローラの操作により室内機で設定してもよい。
【００４９】
また、上記実施の形態では、優先順位設定部の機能を室内機２０Ａ,２０Ｂ,２０Ｃの室内制御部２１に兼ね備えたが、優先順位設定部はこれに限らず、室外機側に設けてもよい。
【００５０】
また、上記実施の形態では、室内機２０Ａ,２０Ｂ,２０Ｃのうちの運転中の室内機の能力の合計に基づいて、室外機の電流制限値設定部１３によって電流制限値を設定したが、入力電流制限部が、予め用意した複数の電流制限値を用いて、入力電流を段階的に制限してもよい。この場合、入力電流を制限する制御を簡略化することができ、コストを低減することができる。
【００５１】
さらに、上記実施の形態では、３台の室内機２０Ａ,２０Ｂ,２０Ｃと、その室内機２０Ａ,２０Ｂ,２０Ｃに接続された室外機１０とを備えた空気調和機について説明したが、１台の室内機と、その室内機に接続された１台の室外機を備えた空気調和機についてこの発明を適用してもよい。この場合、室内機の優先順位を設定する機能は必要なくなるが、室内機または室外機の少なくとも一方の電流制限禁止設定部に設けることによって、リモートコントローラからの指令により動作する電流制限機能を有効にするか否かを簡単に設定することができる。
【図面の簡単な説明】
【００５２】
【図１】図１はこの発明の実施の一形態の空気調和機の構成を示すブロック図である。
【図２】図２は上記空気調和機の室内機の優先順位に基づく室外機の動作を説明するフローチャートである。
【図３】図３は図２に示す電流制限処理を説明するフローチャートである。
【符号の説明】
【００５３】
１０…室外機
１１…ジャンパー
１２…電流制限許可部
１３…電流制限値設定部
１４…入力電流検出部
１５…入力電流制限部
１６…圧縮機回転数制御部
１７…指令判別部
２０Ａ,２０Ｂ,２０Ｃ…室内機
２１…室内制御部
２２…受光部
２３…表示部
３０…リモートコントローラ